(57)【要約】【課題】使用周波数帯が少なくとも一部で重複する他システムに与える干渉を低減することができる無線通信システム、偏波面調整方法、基地局、及びセンサ局を提供すること。【解決手段】基地局１００では、偏波信号送信部１４０が、水平偏波及び垂直偏波の送信レベル及び水平偏波と垂直偏波の位相差に係る組み合わせを変更して偏波面が調整された偏波面調整基準信号を順次送信し、偏波調整部１５０が、偏波面調整基準信号の受信側からのフィードバック情報に応じた組み合わせを選択する。センサ局２００では、異システム受信信号取得部２１０が、地上局３００で受信された、互いに偏波面が異なる複数の偏波面調整基準信号からなる基準信号列を取得し、電力測定部２２０が、取得された複数の偏波面調整基準信号のうち最も受信レベルの小さい偏波面調整基準信号を検出し、送信部２３０が、検出偏波面調整基準信号を示す情報を無線通信システムの基地局に送信する。【選択図】図１
2009159453.tif 000002
【特許請求の範囲】
【請求項１】
他の無線通信システムと使用周波数帯が少なくとも一部で重複する無線通信システムであって、
水平偏波及び垂直偏波の送信レベル並びに水平偏波と垂直偏波との位相差に係る組み合わせを変更することにより偏波面が調整された偏波面調整基準信号を偏波面調整期間で順次送信し、前記偏波面調整基準信号の受信側からのフィードバック情報に応じた前記組み合わせを選択する基地局と、
前記他の無線通信システムの無線局の近傍に設けられ、前記偏波面調整期間において前記無線局で最も受信レベルが小さいタイミングを検出し、検出タイミングを示す情報を前記フィードバック情報として前記基地局に送信するセンサ局と、
を具備する無線通信システム。
【請求項２】
前記無線基地局は、前記偏波面調整期間において、前記位相差を固定して偏波面調整基準信号を送信し、第２の偏波面調整期間において、前記偏波面調整期間で選択した組み合わせに係る送信レベルに固定して偏波面調整基準信号を送信する、
請求項１に記載の無線通信システム。
【請求項３】
前記無線通信システムの前記基地局は、移動体通信システムの基地局であり、
前記他の無線通信システムの前記無線局は、衛星通信システム地上局である、
請求項１又は請求項２のいずれかに記載の無線通信システム。
【請求項４】
他の無線通信システムと使用周波数帯が少なくとも一部で重複する無線通信システムにおける偏波面調整方法であって、
前記無線通信システムの基地局において、水平偏波及び垂直偏波の送信レベル及び水平偏波と垂直偏波との位相差に係る組み合わせを変更することにより偏波面が調整された偏波面調整基準信号を偏波面調整期間で順次送信し、
前記他の無線通信システムの無線局の近傍に設けられたセンサ局において、前記偏波面調整期間において最も受信レベルが小さいタイミングを検出し、検出タイミングを示す情報をフィードバック情報として前記基地局に送信し、
前記無線通信システムの基地局において、前記フィードバック情報に応じた前記組み合わせを選択する、
偏波面調整方法。
【請求項５】
前記無線通信システムの基地局において、
前記偏波面調整期間では前記位相差を固定して偏波面調整基準信号を送信し、
第２の偏波面調整期間では前記偏波面調整期間で選択した組み合わせに係る送信レベルに固定して偏波面調整基準信号を送信する、
請求項４に記載の偏波面調整方法。
【請求項６】
前記無線通信システムの前記基地局は、移動体通信システムの基地局であり、
前記他の無線通信システムの前記無線局は、衛星通信システム地上局である、
請求項４又は請求項５のいずれかに記載の偏波面調整方法。
【請求項７】
他の無線通信システムと使用周波数帯が少なくとも一部で重複する無線通信システムにおける基地局であって、
水平偏波及び垂直偏波の送信レベル及び水平偏波と垂直偏波との位相差に係る組み合わせを変更することにより偏波面が調整された偏波面調整基準信号を偏波面調整期間で順次送信する調整基準信号送信手段と、
前記偏波面調整基準信号の受信側からのフィードバック情報に応じた前記組み合わせを選択する制御手段と、
を具備する基地局。
【請求項８】
調整基準信号送信手段は、
前記偏波面調整期間では前記位相差を固定して偏波面調整基準信号を送信し、
第２の偏波面調整期間では前記偏波面調整期間で選択した組み合わせに係る送信レベルに固定して偏波面調整基準信号を送信する、
請求項７に記載の基地局。
【請求項９】
前記基地局は、移動体通信システムの基地局であり、
前記他の無線通信システムは、衛星通信システムである、
請求項７又は請求項８のいずれかに記載の基地局。
【請求項１０】
他の無線通信システムと使用周波数帯が少なくとも一部で重複する無線通信システムにおけるセンサ局であって、
前記他の無線通信システムの無線局で受信された、互いに偏波面が異なる複数の偏波面調整基準信号からなる基準信号列を取得する取得手段と、
前記取得された複数の偏波面調整基準信号のうち最も受信レベルの小さい偏波面調整基準信号を検出する検出手段と、
前記検出された偏波面調整基準信号を示す情報を前記無線通信システムの基地局に送信する送信手段と、
を具備するセンサ局。
【発明の詳細な説明】
【技術分野】
【０００１】
本発明は、無線通信システム、偏波面調整方法、基地局、及びセンサ局に関する。
【背景技術】
【０００２】
ＩＭＴ−Ａｄｖａｎｃｅｄ等に代表されるように、次世代の移動無線通信システムでは、高速で大容量な通信(高速移動時：１００Ｍｂｐｓ、低速移動時：１Ｇｂｐｓ)を行うために、１０００ＭＨｚ以上の帯域が必要とされている。
【０００３】
しかし、近年の無線通信システム全般においては、通信容量拡大の需要が高まり、周波数帯域の拡大が望まれている一方で、利用可能な周波数資源の枯渇化が進んできていることから、そのような広い周波数帯域を確保することは大きな課題である。
【０００４】
現在、次世代移動無線通信システム向けに検討されている帯域としては、今まで利用されてきたＵＨＦ帯よりも高い周波数帯域で、広帯域通信に適しているマイクロ波帯の利用が有力であると考えられている。
【０００５】
ところがマイクロ波帯では、固定衛星通信（ＦＳＳ）や固定マイクロ通信が既に利用しており、このような既存システムと周波数を共用することになることから、後発の新規システムは干渉を与えずにサービスを提供しなければならない。
【０００６】
複数システムの周波数共用の例として、移動通信システムが複数のアンテナを用いて、他システムの方向へヌルを向けるように送信指向性を制御することにより、与干渉を緩和する空間多重方式(ＳＤＭＡ)がある。
【０００７】
特許文献１によれば、複数のアンテナで構成されるアレーアンテナを持つ無線通信送受信システムが、受信信号から他のシステムの固有ベクトルを算出する。そして、無線通信送受信システムは、他のシステムの固有ベクトルと直交する固有ベクトルを生成し、当該固有ベクトルを用いて他システムへの方向にヌルを向けるように送信指向性を制御する。
【特許文献１】特開２００６−２０３５２２号公報
【発明の開示】
【発明が解決しようとする課題】
【０００８】
しかしながら、上記した従来技術では、例えば、干渉を与えたくない装置が衛星通信システムの地上局の場合、その地上局は受信のみを行うため、その場所を特定することができない。すなわち、ヌルを向けるべき方向を特定することができないので、干渉を除去することは難しい。
【０００９】
本発明は、かかる点に鑑みてなされたものであり、偏波面を調整することにより、使用周波数帯が少なくとも一部で重複する他システムに与える干渉を低減することができる無線通信システム、偏波面調整方法、基地局、及びセンサ局を提供することを目的とする。
【課題を解決するための手段】
【００１０】
本発明の無線通信システムは、他の無線通信システムと使用周波数帯が少なくとも一部で重複する無線通信システムであって、水平偏波及び垂直偏波の送信レベル並びに水平偏波と垂直偏波との位相差に係る組み合わせを変更することにより偏波面が調整された偏波面調整基準信号を偏波面調整期間で順次送信し、前記偏波面調整基準信号の受信側からのフィードバック情報に応じた前記組み合わせを選択する基地局と、前記他の無線通信システムの無線局の近傍に設けられ、前記偏波面調整期間において前記無線局で最も受信レベルが小さいタイミングを検出し、検出タイミングを示す情報を前記フィードバック情報として前記基地局に送信するセンサ局と、を具備する構成を採る。
【００１１】
本発明の偏波面調整方法は、他の無線通信システムと使用周波数帯が少なくとも一部で重複する無線通信システムにおける偏波面調整方法であって、前記無線通信システムの基地局において、水平偏波及び垂直偏波の送信レベル及び水平偏波と垂直偏波との位相差に係る組み合わせを変更することにより偏波面が調整された偏波面調整基準信号を偏波面調整期間で順次送信し、前記他の無線通信システムの無線局の近傍に設けられたセンサ局において、前記偏波面調整期間において最も受信レベルが小さいタイミングを検出し、検出タイミングを示す情報をフィードバック情報として前記基地局に送信し、前記無線通信システムの基地局において、前記フィードバック情報に応じた前記組み合わせを選択する。
【００１２】
本発明の基地局は、他の無線通信システムと使用周波数帯が少なくとも一部で重複する無線通信システムにおける基地局であって、水平偏波及び垂直偏波の送信レベル及び水平偏波と垂直偏波との位相差に係る組み合わせを変更することにより偏波面が調整された偏波面調整基準信号を偏波面調整期間で順次送信する調整基準信号送信手段と、前記偏波面調整基準信号の受信側からのフィードバック情報に応じた前記組み合わせを選択する制御手段と、を具備する構成を採る。
【００１３】
本発明のセンサ局は、他の無線通信システムと使用周波数帯が少なくとも一部で重複する無線通信システムにおけるセンサ局であって、前記他の無線通信システムの無線局で受信された、互いに偏波面が異なる複数の偏波面調整基準信号からなる基準信号列を取得する取得手段と、前記取得された複数の偏波面調整基準信号のうち最も受信レベルの小さい偏波面調整基準信号を検出する検出手段と、前記検出された偏波面調整基準信号を示す情報を前記無線通信システムの基地局に送信する送信手段と、を具備する構成を採る。
【発明の効果】
【００１４】
本発明によれば、偏波面を調整することにより、使用周波数帯が少なくとも一部で重複する他システムに与える干渉を低減することができる無線通信システム、偏波面調整方法、基地局、及びセンサ局を提供することができる。
【発明を実施するための最良の形態】
【００１５】
以下、本発明の一実施の形態について図面を参照して詳細に説明する。
【００１６】
図１には、使用周波数帯が少なくとも一部で重複する、双方向通信を行う移動通信システム１０と、単方向通信を行う衛星通信システム２０とが示されている。移動通信システム１０は、基地局１００と、センサ局２００とを有する。衛星通信システム２０は、衛星局（図示せず）と、アンテナ３１０及びチューナ３２０を備える地上局３００とを有する。
【００１７】
図１において基地局１００は、データ生成部１１０と、フレーム生成部１２０と、データ分岐部１３０と、偏波信号送信部１４０と、偏波調整部１５０と、アンテナ１６０，１７０と、受信部１８０とを有する。
【００１８】
データ生成部１１０は、送信データを生成する。フレーム生成部１２０は、データ生成部１１０で生成された送信データをフレーム単位に分割し、得られたフレーム単位の送信データをデータ分岐部１３０に出力する。また、フレーム生成部１２０は、フレームタイミングを偏波面調整部１５０に出力する。
【００１９】
データ分岐部１３０は、入力データを２ルートに分配する。この分配されたデータは、偏波信号送信部１４０に入力される。
【００２０】
偏波信号送信部１４０は、偏波面調整期間において偏波面調整部１５０から入力される偏波面調整制御信号に基づいて偏波面が調整された偏波面調整基準信号を、入力信号を用いて形成し、当該偏波面調整基準信号をアンテナ１６０−１，２を介して送信する。偏波信号送信部１４０は、偏波面調整基準信号にフレーム番号を付加して送信する。また、偏波信号送信部１４０は、偏波面調整部１５０から入力される偏波面決定情報に基づいて偏波信号を形成し、当該偏波信号をアンテナ１６０−１，２を介して送信する。
【００２１】
ここで偏波面調整制御信号及び偏波面決定情報には、水平偏波及び垂直偏波の送信レベル並びに水平偏波と垂直偏波との位相差に係る組みが含まれている。
【００２２】
偏波信号送信部１４０は、垂直偏波成分形成部１４２と、水平偏波成分形成部１４４とを有する。垂直偏波成分形成部１４２及び水平偏波成分形成部１４４は、複素乗算器である。垂直偏波成分形成部１４２は、偏波面調整制御信号及び偏波面決定情報に含まれる垂直偏波の送信レベル及び垂直偏波の位相情報に基づいて垂直偏波成分を形成する。また、水平偏波成分形成部１４４は、水平偏波の送信レベル及び水平偏波の位相情報に基づいて水平偏波成分を形成する。こうして形成された垂直偏波成分は、垂直偏波用のアンテナ１６０−１から送信され、水平偏波成分は水平偏波用のアンテナ１６０−２から送信される。こうして垂直偏波成分及び水平偏波成分が空間でベクトル合成され、合成ベクトルに対応する偏波面を持つ信号が送信される。
【００２３】
偏波調整部１５０は、偏波面調整期間において、偏波面調整制御信号を偏波信号送信部１４０に順次出力する。偏波調整部１５０は、偏波面調整制御信号に含まれる水平偏波及び垂直偏波の送信レベル並びに水平偏波と垂直偏波との位相差に係る組み合わせを順次変更する。こうすることで、偏波信号送信部１４０からは、水平偏波及び垂直偏波の送信レベル並びに水平偏波と垂直偏波との位相差に係る組み合わせを変更することにより偏波面が調整された偏波面調整基準信号が順次送信される。
【００２４】
また、偏波調整部１５０は、偏波面調整基準信号の信号列の受信側から送信されるフィードバック信号に基づいて水平偏波及び垂直偏波の送信レベル並びに水平偏波と垂直偏波との位相差に係る組みを選択し、選択された組みを偏波面決定情報として偏波信号送信部１４０に出力する。
【００２５】
受信部１８０は、センサ局２００からのフィードバック信号をアンテナ１７０を介して受信し、所定の無線受信処理を施して偏波面調整部１５０に出力する。
【００２６】
センサ局２００は、異システム受信信号取得部２１０と、電力測定部２２０と、送信部２３０と、アンテナ２４０と、フレーム同期検出部２５０とを有する。センサ局２００は、地上局３００の近傍に設けられている。
【００２７】
異システム受信信号取得部２１０は、地上局３００のアンテナ３１０と直接又は周波数変換付低ノイズ増幅器(ＬＮＢ)を介して接続されている。異システム受信信号取得部２１０は、偏波面調整期間において、アンテナ３１０で受信された偏波面調整基準信号の信号列を取得する。地上局３００のアンテナ３１０は、衛星通信システム２０で用いられる偏波の受信に適した構成となっている。
【００２８】
フレーム同期検出部２５０は、基地局１００から送信された信号をアンテナ２４０を介し、受信信号に含まれるフレーム番号を抽出する。抽出されたフレーム番号は、電力測定部２２０に出力される。
【００２９】
電力測定部２２０は、異システム受信信号取得部２１０が取得した偏波面基準信号の受信レベルを測定し、測定受信レベルが最も小さい偏波面基準信号が検出されたときのフレーム番号を特定する。この特定されたフレーム番号がフィードバック情報として送信される。
【００３０】
送信部２３０は、フィードバック情報に所定の無線送信処理を施してアンテナ２４０を介して送信する。
【００３１】
以上のように構成される移動通信システムの動作について説明する。
【００３２】
基地局１００からは、偏波面調整期間において、水平偏波及び垂直偏波の送信レベル並びに水平偏波と垂直偏波との位相差に係る組み合わせを変更することにより偏波面が調整された偏波面調整基準信号からなる信号列が送信される。
【００３３】
具体的には、図２に示すように第１の偏波面調整期間において、水平偏波と垂直偏波との位相差が固定で、水平偏波及び垂直偏波の送信レベルのみが変更された組み合わせに係る偏波面調整基準信号が順次送信される（図３のステップＳＴ１００１）。図２においては、位相差は０で固定されている。また、水平偏波成分と垂直偏波成分との合成ベクトルの大きさを固定として、合成ベクトルと水平偏波軸との為す角度を−９０°から＋９０°まで振らせることにより、水平偏波及び垂直偏波の送信レベルが変更されている。
【００３４】
第１の偏波面調整期間で偏波面調整基準信号が送信されてからセンサ局２００のフィードバック情報を受信するまで、インターバルが設けられる。
【００３５】
第１の偏波面調整期間において地上局３００のアンテナ３１０で受信された、互いに偏波面が異なる複数の偏波面調整基準信号からなる基準信号列は、異システム受信信号取得部２１０により取得される（ステップＳＴ１００２）。
【００３６】
フレーム同期検出部２５０は、基地局１００から送信された信号をアンテナ２４０を介し、受信信号に含まれるフレーム番号を抽出する。抽出されたフレーム番号は、電力測定部２２０に出力される。
【００３７】
電力測定部２２０は、取得された複数の偏波面調整基準信号のうち最も受信レベルの小さい偏波面調整基準信号を検出する。電力測定部２２０は、測定受信レベルが最も小さい偏波面基準信号が検出されたときのフレーム番号を特定し、そのフレーム番号を送信部２３０に出力する。
【００３８】
送信部２３０は、検出された偏波面調整基準信号を示す情報を第１のフィードバック情報として基地局１００に送信する（ステップＳＴ１００３）。ここでは、その検出された偏波面調整基準信号が送信されたフレーム番号が送信される。例えば、回転角θ＝−７８°であるフレーム番号ｎ＝１３が送信される。
【００３９】
偏波調整部１５０は、第２の偏波面調整期間において、第１のフィードバック情報と対応する、水平偏波及び垂直偏波の送信レベルに固定して、水平偏波と垂直偏波との位相差のみを変更した偏波面調整制御信号を偏波信号送信部１４０に順次出力する。これにより、図２に示すように第２の偏波面調整期間において、水平偏波及び垂直偏波の送信レベルが固定で、水平偏波と垂直偏波との位相差のみが変更された組み合わせに係る偏波面調整基準信号が順次送信される（ステップＳＴ１００４）。
【００４０】
第２の偏波面調整期間において地上局３００のアンテナ３１０で受信された、互いに偏波面が異なる複数の偏波面調整基準信号からなる基準信号列は、異システム受信信号取得部２１０により取得される（ステップＳＴ１００５）。
【００４１】
電力測定部２２０は、取得された複数の偏波面調整基準信号のうち最も受信レベルの小さい偏波面調整基準信号を検出する。
【００４２】
送信部２３０は、検出された偏波面調整基準信号を示す情報を第２のフィードバック情報として基地局１００に送信する（ステップＳＴ１００６）。例えば、（ΦＨ，ΦＶ）が（３２，５４）であるフレーム番号ｎ＝２２４０７が送信される。
【００４３】
偏波調整部１５０は、第２のフィードバック情報に対応する、水平偏波及び垂直偏波の送信レベル並びに水平偏波と垂直偏波との位相差に係る組みを選択し、選択された組みを偏波面決定情報として偏波信号送信部１４０に出力する。これにより、以降のデータ送信は、この偏波面決定情報に対応する偏波信号とされて送信される。
【００４４】
上記した処理をより詳細に説明する。ここでは、衛星通信システム２０で水平偏波が用いられている。
【００４５】
図４（ａ）、（ｂ）に示すように、第１の偏波面調整期間では、水平偏波と垂直偏波との位相差が固定で、水平偏波及び垂直偏波の送信レベルのみが変更された組み合わせに係る偏波面調整基準信号が順次送信される。
【００４６】
図４（ａ）の偏波面を持つ偏波面基準信号は、地上局３００では図４（ｃ）のような偏波面で受信される。すなわち、伝搬路の影響により、送信時の偏波面が回転されることがある。伝搬路で障害物により反射、回折などの伝搬現象を経た波が合成され、偏波面が変化してしまうためである。すなわち、衛星通信システム２０の偏波と直交する偏波により信号が送信されたとしても受信側で直交性が保たれているとは限らず、直交性がくずれると干渉抑圧効果が減少し、地上局３００における干渉電力が増加し変調精度が悪化する。
【００４７】
偏波面調整基準信号の信号列の中には、図４（ｄ）に示すように衛星通信システム２０の偏波面と受信時に直交するか又はそれに近い偏波面を持つ偏波面基準信号が含まれている。図４（ｄ）には、図４（ｂ）の偏波面を持つ偏波面基準信号の受信偏波面が示されている。第１の偏波面調整期間では、受信レベルを基準として、図４（ｂ）に対応する水平偏波及び垂直偏波の送信レベルが特定される。
【００４８】
また、第２の偏波面調整期間では、図５（ａ）に示すように、水平偏波と垂直偏波との位相差が変更された組み合わせに係る偏波面調整基準信号が順次送信される。このとき、送信レベルは、第１の偏波面調整期間で特定された値にフィックスされている。
【００４９】
偏波面基準信号は、伝搬路において円偏波の影響を受けることにより、送信時に直線偏波で送信されても、受信時には図５（ｂ）に示すように楕円状の偏波面を持つことがある。
【００５０】
偏波面調整基準信号の信号列の中には、図５（ｃ）に示すように衛星通信システム２０の偏波面と受信時に直交するか又はそれに近い偏波面を持つ偏波面基準信号が含まれている。第２の偏波面調整期間では、受信偏波面が図５（ｃ）のようになる水平偏波と垂直偏波との位相差が特定される。
【００５１】
こうして特定される水平偏波及び垂直偏波の送信レベル並びに水平偏波と垂直偏波との位相差に係る組みは、移動通信システム１０から衛星通信システム２０への干渉が最も小さい組みである。
【００５２】
このように本実施の形態によれば、基地局１００においては、偏波信号送信部１４０が、水平偏波及び垂直偏波の送信レベル及び水平偏波と垂直偏波との位相差に係る組み合わせを変更することにより偏波面が調整された偏波面調整基準信号を偏波面調整期間で順次送信し、偏波調整部１５０が、偏波面調整基準信号の受信側からのフィードバック情報に応じた組み合わせを選択する。
【００５３】
また、センサ局２００においては、異システム受信信号取得部２１０が、地上局３００で受信された、互いに偏波面が異なる複数の偏波面調整基準信号からなる基準信号列を取得し、電力測定部２２０が、異システム受信信号取得部２１０で取得された複数の偏波面調整基準信号のうち最も受信レベルの小さい偏波面調整基準信号を検出し、送信部２３０が、電力測定部２２０で検出された偏波面調整基準信号を示す情報を無線通信システムの基地局に送信する。
【００５４】
こうすることにより、移動通信システム１０は、衛星通信システム２０に対する干渉が最も小さい水平偏波及び垂直偏波の送信レベル及び水平偏波と垂直偏波との位相差に係る組み合わせを選択することができる。
【００５５】
なお上記説明においては、フィードバック情報としてフレーム番号が用いられているが、本発明はこれに限定されるものではなく、偏波面調整期間において受信レベルが最も小さいタイミング情報でもよい。基地局１００は、タイミング情報に基づいて、水平偏波及び垂直偏波の送信レベル及び水平偏波と垂直偏波との位相差に係る組み合わせを特定することができる。
【００５６】
また、基地局１００は、第１の偏波面調整期間では送信レベルを固定して偏波面調整基準信号を送信し、第２の偏波面調整期間では第１の偏波面調整期間で選択した組み合わせに係る送信レベルに固定して偏波面調整基準信号を送信する。
【００５７】
こうすることにより、最適な水平偏波及び垂直偏波の送信レベル及び水平偏波と垂直偏波との位相差に係る組み合わせを効率的に特定することができる。
【００５８】
またなお、移動通信システム１０の移動局（図示せず）は、地上局３００と同様に、基地局１００からの偏波制御の影響を受ける。しかし、移動局の使用場所は一般に散乱波が強く、垂直偏波と水平偏波のレベル差異が小さいため、その影響は無視できる。また移動局が偏波ダイバーシチ受信することにより、さらにその影響は小さくなる。
【００５９】
またなお、上記説明では、フィードバック情報の通知に移動通信システム１０の上り回線を利用したが、固定電話回線、インターネット回線などを利用してもよい。
【００６０】
またなお、上記説明では、受信レベル（干渉電力レベル）を基準として、最も直交度が高いと思われるタイミングを検出したが、ＥＶＭなどの指標を基準として利用してもよい。
【００６１】
またなお、上記説明では、衛星通信システム２０が直線偏波を利用する場合について説明したが、衛星通信システム２０は円偏波を利用してもよい。衛星通信システム２０がどのような偏波を用いたとしても、上記した方法によって移動通信システム１０の受信偏波面が衛星通信システム２０の受信偏波面と直交するように調整することができる。
【産業上の利用可能性】
【００６２】
本発明の無線通信システム、偏波面調整方法、基地局、及びセンサ局は、偏波面を調整することにより、使用周波数帯が少なくとも一部で重複する他システムに与える干渉を低減することができるものとして有用である。
【図面の簡単な説明】
【００６３】
【図１】本発明の実施の形態に係る移動通信システム及び衛星通信システムの構成を示すブロック図
【図２】偏波面調整基準信号の説明に供する図
【図３】移動通信システムの動作説明に供する図
【図４】移動通信システムの動作説明に供する図
【図５】移動通信システムの動作説明に供する図
【符号の説明】
【００６４】
１０  移動通信システム
２０  衛星通信システム
１００  基地局
１１０  データ生成部
１２０  フレーム生成部
１３０  データ分岐部
１４０  偏波信号送信部
１４２  垂直偏波成分形成部
１４４  水平偏波成分形成部
１５０  偏波面調整部
１６０，１７０，２４０，３１０  アンテナ
１８０  受信部
２００  センサ局
２１０  異システム受信信号取得部
２２０  電力測定部
２３０  送信部
２５０  フレーム同期検出部
３００  地上局
３２０  チューナ
【図１】
2009159453.tif 000003
【図２】
2009159453.tif 000004
【図３】
2009159453.tif 000005
【図４】
2009159453.tif 000006
【図５】
2009159453.tif 000007